(57)【要約】【課題】複数台の投写型表示装置を容易に制御することのできる技術を提供する。【解決手段】投写表示システムは、複数台の投写型表示装置を備え、それぞれの投写型表示装置によって投写表示される複数の画像を共通の投写面上に表示する。この投写表示システムでは、複数台の投写型表示装置のうちのいずれかの投写型表示装置が、投写面上に表示される画像領域の少なくとも一部にメニュー画像を表示する。そして、メニュー画像を表示する投写型表示装置以外の他の投写型表示装置が、少なくともメニュー画像の表示領域において、メニュー画像内に含まれる符号を識別可能な画像を表示する。【選択図】図６
2006287963.tif 000002
【特許請求の範囲】
【請求項１】
複数台の投写型表示装置を備え、それぞれの投写型表示装置によって投写表示される複数の画像を共通の投写面上に表示する投写表示システムにおいて、メニュー画像を表示するメニュー画像表示方法であって、
（ａ）前記複数台の投写型表示装置のうちのいずれかの投写型表示装置が、前記投写面上に表示される画像領域の少なくとも一部にメニュー画像を表示する工程と、
（ｂ）前記メニュー画像を表示する投写型表示装置以外の他の投写型表示装置が、少なくとも前記メニュー画像の表示領域において、前記メニュー画像内に含まれる符号を識別可能な画像を表示する工程と、
を備えることを特徴とするメニュー画像表示方法。
【請求項２】
請求項１記載のメニュー画像表示方法であって、
前記工程（ａ）は、
前記メニュー画像を表示する投写型表示装置を示す識別符号を含む前記メニュー画像を表示する工程を含む、メニュー画像表示方法。
【発明の詳細な説明】
【技術分野】
【０００１】
この発明は、複数台の投写型表示装置を用いて共通の投写面上に画像を表示する技術に関する。
【背景技術】
【０００２】
複数台の投写型表示装置を準備すると、共通の投写面上に画像を表示する投写表示システムを構成することができる。このような投写表示システムでは、複数台の投写型表示装置のそれぞれによって投写面上に表示される複数の画像を、うまく整合させて画像を表示することが可能である。
【０００３】
図１１は、従来の投写表示システムを示す説明図である。図１１の投写表示システムでは、３台の投写型表示装置ＰＪＺＡ，ＰＪＺＢ，ＰＪＺＣが積み重ねて用いられている。各投写型表示装置は、図示しない画像供給装置から供給されるアナログ画像信号ＡＶ１に基づいて画像を表示する。３台の投写型表示装置は、１つのリモートコントローラ（以下、「リモコン」とも呼ぶ）２２９によって制御されている。
【発明の開示】
【発明が解決しようとする課題】
【０００４】
しかし、従来の投写表示システムでは、各投写型表示装置ＰＪＺＡ，ＰＪＺＢ，ＰＪＺＣを制御することが困難であった。例えば、３台の投写型表示装置のうちの１台の投写型表示装置のみを制御しようとする場合には、１つのリモコン２２９から出力された操作信号に従って、すべての投写型表示装置が同じように動作してしまい、うまく制御することができなかった。
【０００５】
この発明は、従来技術における上述の課題を解決するためになされたものであり、複数台の投写型表示装置を容易に制御することのできる技術を提供することを目的とする。
【課題を解決するための手段】
【０００６】
上述の課題の少なくとも一部を解決するため、本発明の投写表示システムは、複数台の投写型表示装置を備え、それぞれの投写型表示装置によって投写表示される複数の画像を共通の投写面上に表示する投写表示システムであって、
前記複数台の投写型表示装置のそれぞれは、
外部から入力される制御信号を処理して、処理済み制御信号を生成するための制御信号処理部と、
前記制御信号および前記処理済み制御信号を入出力するための信号入出力部と、
を備え、
前記複数台の投写型表示装置は、各投写型表示装置の前記信号入出力部間を接続することによってカスケード接続され、
前記制御信号および前記処理済み制御信号は、カスケード接続の順序を示す接続順序データを含んでおり、
各投写型表示装置の前記制御信号処理部は、
入力される制御信号に基づいて、各投写型表示装置がカスケード接続された際の接続順序を記憶するメモリを備えることを特徴とする。
【０００７】
本発明の投写表示システムを用いれば、複数台の投写型表示装置を接続順序に基づいて制御することができるので、複数台の投写型表示装置を容易に制御することが可能となる。
【０００８】
上記の投写表示システムにおいて、
前記複数台の投写型表示装置のカスケード接続によるデータ伝送は、いずれかの投写型表示装置と接続される外部制御装置から供給される制御信号に基づいて実現され、
前記外部制御装置と接続された投写型表示装置は、入力される制御信号に基づいて、マスタの投写型表示装置に決定され、
他の投写型表示装置は、入力される制御信号に基づいて、スレーブの投写型表示装置に決定され、
前記マスタの投写型表示装置は、前記スレーブの投写型表示装置を制御するようにしてもよい。
【０００９】
このように、外部制御装置を用いてマスタ／スレーブの投写型表示装置を決定すれば、複数台の投写型表示装置のカスケード接続によるデータ伝送を容易に実現できる。
【００１０】
さらに、上記の投写表示システムにおいて、
前記複数台の投写型表示装置を操作するためのリモートコントローラを備え、
前記マスタの投写型表示装置は、前記リモートコントローラからの操作信号を処理し、前記操作信号に基づいて前記複数台の投写型表示装置を操作し、
前記スレーブの投写型表示装置は、前記リモートコントローラからの操作信号に従った処理を実行しないことが好ましい。
【００１１】
このように、マスタの投写型表示装置のみがリモートコントローラからの操作信号を処理すれば、複数台の投写型表示装置をリモートコントローラによって容易に制御することが可能となる。
【００１２】
上記の投写表示システムにおいて、
前記複数台の投写型表示装置のそれぞれは、さらに、
前記投写面上に表示される画像領域の少なくとも一部にメニュー画像を表示させるためのメニュー画像処理部を備え、
前記マスタの投写型表示装置は、前記複数台の投写型表示装置のうちのいずれかの投写型表示装置のメニュー画像処理部に前記メニュー画像を表示させる際に、他の投写型表示装置のメニュー画像処理部に、少なくとも前記メニュー画像の表示領域において、前記メニュー画像の背景を構成する背景画像を表示させることが好ましい。
【００１３】
こうすれば、いずれかの投写型表示装置においてメニュー画像を表示させる場合にも、容易にメニュー画像内に含まれる文字等の符号を識別することが可能となる。
【００１４】
また、上記の投写表示システムにおいて、
前記メニュー画像は、前記メニュー画像を表示する投写型表示装置を示す識別符号を含むことが好ましい。
【００１５】
こうすれば、メニュー画像を表示している投写型表示装置を容易に知ることができるので、各投写型表示装置を容易に制御することが可能となる。
【００１６】
上記の投写表示システムにおいて、
各投写型表示装置の動作条件に関する設定値は、前記外部制御装置に伝送され、
前記外部制御装置は、
ユーザが各投写型表示装置の前記設定値を確認しながら前記設定値を変更可能とする設定値変更部を備えるようにしてもよい。
【００１７】
こうすれば、外部制御装置に備えられた設定値変更部において各投写型表示装置の設定値を容易に変更することが可能となる。
【００１８】
上記の投写表示システムにおいて、
各投写型表示装置の動作状態は、前記マスタの投写型表示装置に伝送されることが好ましい。
【００１９】
こうすれば、マスタの投写型表示装置は、すべての投写型表示装置の動作状態を把握することができるので、各投写型表示装置の動作状態に応じた制御をすることが可能となる。
【００２０】
また、上記の投写表示システムにおいて、
前記マスタの投写型表示装置は、前記複数台の投写型表示装置のうちの少なくとも一台の投写型表示装置にエラーが発生した際に、エラーの発生していない他の投写型表示装置の少なくとも一台にエラー表示を行わせるようにしてもよい。
【００２１】
こうすれば、投写表示システムに含まれるいずれかの投写型表示装置にエラーが発生して投写表示することができなくなった場合にも、他の投写型表示装置によってエラー表示がされるので、エラーの発生を容易に知ることが可能となる。
【００２２】
本発明の投写型表示装置は、
上記のいずれかに記載の投写表示システムを構成可能であることを特徴とする。
【００２３】
このような投写型表示装置を複数台準備すれば、上記の投写表示システムを構成することができ、複数台の投写型表示装置を容易に制御することが可能である。
【００２４】
本発明の方法は、複数台の投写型表示装置を備え、それぞれの投写型表示装置によって投写表示される複数の画像を共通の投写面上に表示する投写表示システムにおいて、メニュー画像を表示するメニュー画像表示方法であって、
（ａ）前記複数台の投写型表示装置のうちのいずれかの投写型表示装置が、前記投写面上に表示される画像領域の少なくとも一部にメニュー画像を表示する工程と、
（ｂ）前記メニュー画像を表示する投写型表示装置以外の他の投写型表示装置が、少なくとも前記メニュー画像の表示領域において、前記メニュー画像内に含まれる符号を識別可能な画像を表示する工程と、
を備えることを特徴とする。
【００２５】
こうすれば、複数台の投写型表示装置を備える投写表示システムにおいて、いずれかの投写型表示装置がメニュー画像を表示する場合に、容易にメニュー画像内に含まれる文字等の符号を識別することが可能となり、複数台の投写型表示装置を容易に制御することが可能となる。
【００２６】
上記のメニュー画像表示方法において、
前記工程（ａ）は、
前記メニュー画像を表示する投写型表示装置を示す識別符号を含む前記メニュー画像を表示する工程を含むことが好ましい。
【００２７】
こうすれば、メニュー画像を表示している投写型表示装置を容易に知ることができるので、各投写型表示装置を容易に制御することが可能となる。
【発明を実施するための最良の形態】
【００２８】
次に、本発明の実施の形態を実施例に基づき説明する。図１は、本発明の実施例としての投写表示システムを示す説明図である。この投写表示システムは、３台の投写型表示装置ＰＪ１〜ＰＪ３と、リモコン２２９と、パーソナルコンピュータＰＣとを備えている。各投写型表示装置ＰＪ１〜ＰＪ３には、図１１の従来の投写表示システムと同様に、図示しない画像供給装置からアナログ画像信号ＡＶ１が供給される。各投写型表示装置ＰＪ１〜ＰＪ３は、供給されたアナログ画像信号ＡＶ１に基づいて同じ画像をスクリーンＳＣ上に表示する。この結果、スクリーンＳＣ上には、合成された１つの明るい画像が表示される。
【００２９】
図１の投写表示システムにおいては、３台の投写型表示装置ＰＪ１〜ＰＪ３は、ケーブルによってカスケード接続されている。また、初期設定時には、第１の投写型表示装置ＰＪ１とコンピュータＰＣもケーブルによって接続される。コンピュータＰＣは、制御信号を第１の投写型表示装置ＰＪ１に供給する。第１の投写型表示装置は、入力された制御信号を処理し、処理済み制御信号を第２の投写型表示装置に供給する。他の投写型表示装置についても同様である。このようにして、コンピュータＰＣからの制御信号に基づいてカスケード接続によるデータ伝送が可能となると、３台の投写型表示装置は投写表示システムとして機能する。このとき、コンピュータＰＣに接続された第１の投写型表示装置ＰＪ１は、マスタの投写型表示装置に設定され、第２および第３の投写型表示装置ＰＪ２，ＰＪ３は、スレーブの投写型表示装置に設定される。マスタの投写型表示装置ＰＪ１は、２つのスレーブの投写型表示装置ＰＪ２，ＰＪ３を制御する。なお、上記の説明からも分かるように、コンピュータＰＣは、本発明における外部制御装置に相当する。
【００３０】
図２は、図１の各投写型表示装置ＰＪ１〜ＰＪ３の内部構成の一例を示すブロック図である。各投写型表示装置は、画像信号処理部２１０と、ＯＳＤ（オンスクリーンディスプレイ）処理部２１２と、ＯＳＤメモリ２１３と、液晶ライトバルブ駆動部２１４と、液晶ライトバルブ２１６と、ＣＰＵ２００と、フレームメモリ２２２と、設定値メモリ２２４と、制御信号処理部２２８と、照明光学系１００と、投写レンズ１０２とを備えている。画像信号処理部２１０と、ＯＳＤ処理部２１２と、設定値メモリ２２４と、制御信号処理部２２８と、ＣＰＵ２００とは、バス２００ｂによって互いに接続されている。液晶ライトバルブ２１６は、照明光学系１００によってほぼ均一に照明されており、液晶ライトバルブ２１６において形成された画像は、投写レンズ１０２によってスクリーンＳＣ上に投写される。なお、図２において、照明光学系１００，投写レンズ１０２の図示は、簡略化されている。
【００３１】
画像入力端子２０８には、外部の画像供給装置（図示せず）からアナログ画像信号ＡＶ１が入力される。なお、アナログ画像信号ＡＶ１としては、例えば、パーソナルコンピュータから出力されたコンピュータ画像を表すＲＧＢ信号や、ビデオレコーダやテレビジョン受信機から出力された動画を表すコンポジット画像信号などの画像信号が供給される。
【００３２】
画像信号処理部２１０は、アナログ画像信号ＡＶ１をＡＤ変換して、変換された画像データをフレームメモリ２２２に書き込む機能と、画像データをフレームメモリ２２２から読み出す機能とを有している。画像信号処理部２１０は、読み出した画像データＤＶ１をＯＳＤ処理部２１２に供給する。
【００３３】
ＯＳＤ処理部２１２は、制御信号処理部２２８からの要求に応じて、メニュー画像などを表すＯＳＤ画像データを、画像データＤＶ１に合成する処理を行う。後述するように、ユーザは、このメニュー画像に従って、投写型表示装置の各部の機能を制御することができる。
【００３４】
ＯＳＤメモリ２１３には、メニュー画像を構成するグラフィックデータやフォントデータなどが所定のフォーマットで記憶されている。メニュー画像を表示する際には、ＯＳＤ処理部２１２は、ＯＳＤメモリ２１３からメニュー画像データを読み出してＯＳＤ画像データを生成する。ＯＳＤ処理部２１２は、このＯＳＤ画像データを画像信号処理部２１０から出力された画像データＤＶ１と合成する。なお、ＯＳＤ処理部２１２における画像データＤＶ１とＯＳＤ画像データとの合成は、ＯＳＤ処理部２１２内に備えられた図示しないセレクタを用いることによって行うことができる。あるいは、乗算器や加算器を用いて２つの画像データの演算処理を行うことによって合成を行うようにしてもよい。演算処理による合成を行えば、画像データＤＶ１によって表される画像とＯＳＤ画像データによって表されるメニュー画面とを半透明の状態で表示することができる。
【００３５】
ＯＳＤ処理部２１２から出力された画像データＤＶ２は、液晶ライトバルブ駆動部２１４に供給される。液晶ライトバルブ駆動部２１４は、この画像データＤＶ２に応じて、液晶ライトバルブ２１６を駆動する。液晶ライトバルブ２１６は、照明光学系１００から射出された光を変調する。液晶ライトバルブ２１６から射出される変調光は、投写レンズ１０２によってスクリーンＳＣ上に投写され、スクリーンＳＣ上に画像が表示される。
【００３６】
信号入出力部２２６は、第１の入出力端子２２６ａと第２の入出力端子２２６ａとを含んでいる。第１および第２の入出力端子２２６ａ，２２６ｂにはケーブルが接続され、他の装置と電気的に接続される。例えば、図２に示す装置が図１の第１の投写型表示装置ＰＪ１である場合には、第１および第２の入出力端子２２６ａ，２２６ｂには、それぞれコンピュータＰＣおよび第２の投写型表示装置ＰＪ２が電気的に接続される。同様に、図２に示す装置が第２の投写型表示装置ＰＪ２である場合には、第１および第２の入出力端子２２６ａ，２２６ｂには、それぞれ第１および第３の投写型表示装置ＰＪ１，ＰＪ３が電気的に接続される。
【００３７】
制御信号処理部２２８（図２）は、信号入出力部２２６を介してコンピュータＰＣから入力される制御信号に基づいて、投写型表示装置の各部の機能を制御する。例えば、制御信号処理部２２８は、コンピュータＰＣからの命令に従って、設定値メモリ２２４に格納された動作条件に関する設定値を変更することができる。画像信号処理部２１０およびＯＳＤ処理部２１２は、設定値メモリ２２４に格納された設定値に従って画像処理を実行する。
【００３８】
また、制御信号処理部２２８は、リモコン２２９からの操作信号に基づいて投写型表示装置の各部の機能を制御する。ただし、マスタとして機能する第１の投写型表示装置ＰＪ１の制御信号処理部２２８は、リモコン２２９からの操作信号に従って処理を実行するが、スレーブとして機能する第２および第３の投写型表示装置ＰＪ２，ＰＪ３の制御信号処理部２２８は、リモコン２２９からの操作信号に従って処理を実行しない。具体的には、スレーブに設定された投写型表示装置ＰＪ２，ＰＪ３の制御信号処理部２２８は、リモコン２２９からの操作信号の受け付けを禁止するか、あるいは、操作信号を無視する。マスタの投写型表示装置ＰＪ１は、リモコン２２９からの操作信号を処理し、操作信号に基づいてすべての投写型表示装置ＰＪ１〜ＰＪ３を操作する。これにより、リモコン２２９を用いて各投写型表示装置を個別に制御することが可能となる。例えば、マスタの投写型表示装置ＰＪ１は、リモコン２２９からの操作信号に従って、いずれかの投写型表示装置のＯＳＤ処理部２１２にメニュー画像（後述する）を表示させる。
【００３９】
図３は、各投写型表示装置のカスケード接続を確立させるための手順を示すフローチャートである。ここで、カスケード接続の確立とは、複数台の投写型表示装置においてカスケード接続によるデータ伝送が可能となることを意味する。カスケード接続の確立作業は、主として、投写型表示装置を会議室等に設置する設置作業者によって行われる。なお、図３の各工程は、図１に示すように、コンピュータＰＣと３台の投写型表示装置とがケーブルによって予め接続された状態で行われる。
【００４０】
ステップＳ１では、コンピュータＰＣが、３台の投写型表示装置ＰＪ１〜ＰＪ３のカスケード接続を確立させるための制御信号を出力する。図１に示すように、コンピュータＰＣからの制御信号は、第１の投写型表示装置ＰＪ１に入力される。
【００４１】
ステップＳ２では、各投写型表示装置において、マスタ／スレーブ設定が行われる。具体的には、第１の投写型表示装置ＰＪ１の制御信号処理部２２８（図２）は、コンピュータＰＣから供給された第１の制御信号を処理して、第１の処理済み制御信号を出力する。同様に、第２の投写型表示装置ＰＪ２は、第１の投写型表示装置ＰＪ１から供給された第１の処理済み制御信号を処理して、第２の処理済み制御信号を出力する。第３の投写型表示装置ＰＪ３についても同様であるが、出力された第３の処理済み制御信号はいずれの装置にも供給されない。
【００４２】
各投写型表示装置の制御信号処理部２２８は、入力される制御信号に基づいてカスケード接続された際の接続順序を決定する。具体的には、制御信号はカスケード接続の順序を示す番号データを含んでおり、各投写型表示装置の制御信号処理部２２８は、入力された制御信号を加工して、処理済み制御信号を出力する。例えば、第１の投写型表示装置ＰＪ１には、接続順序が１番目であることを示す番号データ「１」が供給される。第１の投写型表示装置ＰＪ１は、番号データ「１」を認識し、制御信号処理部２２８内の番号データメモリ２２７に格納する。また、第１の投写型表示装置は、供給された番号データ「１」をインクリメントして番号データ「２」を生成し、処理済み制御信号として出力する。第２および第３の投写型表示装置についても同様である。本実施例においては、コンピュータＰＣと接続された投写型表示装置、すなわち、番号データ「１」を割り当てられた投写型表示装置ＰＪ１がマスタの投写型表示装置として決定される。そして、他の投写型表示装置、すなわち、「２」以降の他の番号データを割り当てられた投写型表示装置ＰＪ２，ＰＪ３がスレーブの投写型表示装置として決定される。
【００４３】
次に、ステップＳ３においては、各投写型表示装置の制御信号処理部２２８が、設定値メモリ２２４に格納された設定値を読み取り、ケーブルを介してコンピュータＰＣに伝送する。具体的には、各投写型表示装置は、番号データが割り当てられると、割り当てられた番号データとともに設定値を第１の入出力端子２２６ａから出力する。第１の投写型表示装置ＰＪ１の設定値については、直接、コンピュータＰＣに伝送される。第２の投写型表示装置ＰＪ２の設定値については、割り当てられた番号データの小さな投写型表示装置（すなわち、第１の投写型表示装置ＰＪ１）を介してコンピュータＰＣに伝送される。第３の投写型表示装置ＰＪ３についても同様である。このとき、第１の投写型表示装置ＰＪ１の制御信号処理部２２８は、他の投写型表示装置から設定値とともに伝送される番号データから、投写表示システムを構成する投写型表示装置の台数を認識する。
【００４４】
このように各投写型表示装置の設定値がコンピュータＰＣに伝送されると、投写表示システムのカスケード接続が確立される（ステップＳ４）。なお、実際には、各投写型表示装置に番号データが割り当てられることによってカスケード接続は確立されるが、本実施例のようにすれば、ユーザ（主として、設置作業者）はカスケード接続の確立を容易に確認することができる。
【００４５】
図４は、投写表示システムのカスケード接続が確立された際に、コンピュータＰＣ（図１）において表示される設定値画面を示す説明図である。設定値画面は、図１の投写表示システムの接続状態を示す接続状態表示領域Ａ１と、各投写型表示装置の設定値を示す設定値表示領域Ａ２とを含んでいる。
【００４６】
接続状態表示領域Ａ１には、コンピュータＰＣに３台の投写型表示装置ＰＪ１〜ＰＪ３がカスケード接続された様子が示されている。なお、４台の投写型表示装置がカスケード接続されている場合には、４台の投写型表示装置がカスケード接続された様子が表示される。図４の表示領域Ａ１においては、符号「１」が付された第１の投写型表示装置ＰＪ１が選択されている。このとき、設定値表示領域Ａ２には、第１の投写型表示装置ＰＪ１に関する設定値が表示される。具体的には、図４に示すように、入力解像度やトラッキング，コントラストなどの映像に関する設定値や、音声に関する設定値などの、投写型表示装置の動作条件に関する設定値が表示される。
【００４７】
設置作業者は、コンピュータＰＣ（図１）の表示部に表示された設定値画面において、各投写型表示装置の設定値を確認しながら、マウスやキーボードを操作することにより設定値を変更することが可能である。設定値画面において設定値が変更されると、ケーブルを介して、各投写型表示装置の設定値メモリ２２４内に格納された設定値が変更される。この説明からも分かるように、本実施例のコンピュータＰＣ（図１）におけるマウスやキーボード等の入力部と、設定値画面を表示させるプログラムを格納するＲＡＭやディスプレイ等の表示部とが本発明における設定値変更部に相当する。
【００４８】
なお、設定値表示領域Ａ２の各項目の右側に示された鍵の図形は、設定値のロック／アンロック状態を示している。ロック状態の場合には、その項目の設定値を変更できず、アンロック状態の場合には変更できる。図４においては、「トラッキング」と「同期」との２項目がロック状態となっており、他の項目はアンロック状態となっている。本実施例の設定値画面は、このようにロック機能を備えているので、設置作業者は所定の項目をロック状態としておくことにより、一般のユーザによる設定値の変更を禁止することができる。
【００４９】
上記のようにして、複数台の投写型表示装置のカスケード接続が確立されると、複数台の投写型表示装置は、投写表示システムとして機能する。カスケード接続が確立されるとコンピュータＰＣは不要となるため、図１に示す第１の投写型表示装置ＰＪ１とコンピュータＰＣとの間のケーブルは、取り外される。これにより、一般のユーザが使用可能な状態となる。ただし、ユーザは、リモコン２２９を用いて、各投写型表示装置の設定値を変更することが可能である。
【００５０】
図５は、リモコン２２９を用いて各投写型表示装置の設定値を変更する場合の処理を示す説明図である。なお、図５（Ａ）〜（Ｅ），（Ｄ’），（Ｅ’）は、３台の投写型表示装置ＰＪ１〜ＰＪ３によってスクリーンＳＣ上に表示される合成画像を示している。図６は、図５の各合成画像を表示する際に、各投写型表示装置によって表示される個別画像を示す説明図である。図６（Ａ）〜（Ｅ），（Ｄ’），（Ｅ’）の左から１列目の画像は、それぞれ図５（Ａ）〜（Ｅ），（Ｄ’），（Ｅ’）と同じ合成画像を示している。２列目の画像は、１列目の各状態において第１（マスタ）の投写型表示装置ＰＪ１によって表示される個別画像を示している。同様に、３，４列目の画像は、第２，第３の投写型表示装置ＰＪ２，ＰＪ３によって表示される個別画像である。以下では、図６を参照しつつ、図５に従って説明する。
【００５１】
図５（Ａ）は、通常の画像表示が行われている場合に、スクリーンＳＣ上に表示される画像を示している。このとき、図６（Ａ）に示すように、３台の投写型表示装置ＰＪ１〜ＰＪ３は、それぞれ個別画像を表示する。なお、図５，図６中、表示画像内の下部に示す符号「ＰＪ１」，「ＰＪ２」，「ＰＪ３」は、画像を表示している投写型表示装置を示しており、実際には表示されない。
【００５２】
図５（Ｂ）は、ユーザが、リモコン２２９を用いてすべての投写型表示装置の設定値を一括して変更する場合に表示される画像を示している。図７は、リモコン２２９を拡大して示す説明図である。図７（Ａ），（Ｂ）は、それぞれリモコン２２９のボタンカバーＢＣが閉じた状態と開いた状態とを示している。図示するように、リモコン２２９には、多数のボタンが設けられている。図５における処理では、メニューボタンＢｍと、エフェクト１ボタンＢｅ１と、エフェクト２ボタンＢｅ２とが使用される。ユーザが、メニューボタンＢｍを選択すると、すべての投写型表示装置の設定値を一括して変更可能な全体制御モードとなる。この全体制御モードにおいては、図５（Ｂ）に示すように、すべての投写型表示装置ＰＪ１〜ＰＪ３の設定値を同じように設定するための全体メニュー画像が表示される。
【００５３】
図８は、スクリーンＳＣ上に表示される全体メニュー画像の一例を示す説明図である。図８に示すように、全体メニュー画像には、図４の設定値画面とほぼ同様の項目が含まれている。ユーザは、リモコン２２９を操作することによって、各項目の設定値を変更することが可能である。
【００５４】
図５（Ｂ）の状態では、図６（Ｂ）に示すように、マスタの投写型表示装置ＰＪ１は全体メニュー画像を含む画像を表示し、スレーブの投写型表示装置ＰＪ２，ＰＪ３は、メニュー画像領域において黒画像となる画像を表示する。このように、メニュー画像を表示する投写型表示装置以外の他の投写型表示装置が、メニュー画像表示領域において黒画像を表示するようにすれば、メニュー画像を見やすく表示することができる。
【００５５】
図５（Ｃ）は、第１の投写型表示装置ＰＪ１の設定値のみを個別に変更する場合に表示される画像を示している。この状態は、図６（Ｂ）の状態において、ユーザがリモコン２２９（図６）のエフェクト１ボタンＢｅ１を選択することによって実現される。すなわち、ユーザが、エフェクト１ボタンＢｅ１を選択すると、各投写型表示装置の設定値を個別に変更可能な個別制御モードとなる。このとき、図６（Ｃ）に示すように、第１の投写型表示装置ＰＪ１は個別メニュー画像を含む画像を表示し、第２，第３の投写型表示装置ＰＪ２，ＰＪ３は全画像領域において黒画像を表示する。このようにすれば、第１の投写型表示装置ＰＪ１のみの画像を表示することができるので、第１の投写型表示装置ＰＪ１のみに関する画像の明るさ等の調整値を個別に、容易に設定することができる。
【００５６】
図９は、スクリーンＳＣ上に表示される個別メニュー画像の一例を示す説明図である。図９に示すように、個別メニュー画像は、図８の全体メニュー画像とほぼ同じである。ただし、個別メニュー画像を表示する場合には、メニュー画像内に個別メニュー画像を表示する投写型表示装置を示す識別符号が含まれている。図９は、図５（Ｃ）の第１の投写型表示装置ＰＪによって表示される個別メニュー画像を示しているので、メニュー画像の右下に、第１の投写型表示装置ＰＪ１を示す識別符号「１」が含まれている。これにより、ユーザは、メニュー画像を表示している投写型表示装置を容易に知ることができるので、各投写型表示装置の設定値を容易に変更することが可能となる。
【００５７】
図５（Ｄ）は、第２の投写型表示装置ＰＪ２の設定値のみを変更する場合に表示される画像を示している。この状態は、図５（Ｃ）の状態において、ユーザがリモコン２２９（図６）のエフェクト１ボタンＢｅ１を再度選択することによって実現される。このとき、図６（Ｄ）に示すように、第２の投写型表示装置ＰＪ２は個別メニュー画像を含む画像を表示し、第１，第３の投写型表示装置ＰＪ１，ＰＪ３は全画像領域において黒画像を表示する。図５（Ｅ）についても同様である。なお、図５（Ｅ）の状態において、ユーザがリモコン２２９（図６）のエフェクト１ボタンＢｅ１を再度選択すると、図５（Ｂ）の状態に戻る。
【００５８】
ところで、投写表示システムにおいては、複数台の投写型表示装置によって表示される画像を互いに一致させる必要がある。具体的には、各投写型表示装置によって表示される各画像の表示位置、大きさ、形状などを一致させる必要がある。この場合には、いずれかの投写型表示装置によって表示された画像を基準として、他の投写型表示装置によって表示された画像を一致させればよい。本実施例の投写表示システムにおいては、マスタの投写型表示装置ＰＪ１と他の１台の投写型表示装置とを同時に表示させることが可能である。このため、マスタの投写型表示装置ＰＪ１によって表示される画像を基準画像として、他の投写型表示装置によって表示される画像を一致させることができる。
【００５９】
図５（Ｄ’）は、マスタの投写型表示装置ＰＪ１と第２の投写型表示装置ＰＪ２とを同時に表示させ、第２の投写型表示装置ＰＪ２の設定値のみを変更する場合に表示される画像を示している。この状態は、図５（Ｄ）の状態において、ユーザがリモコン２２９（図６）のエフェクト２ボタンＢｅ２を選択することによって実現される。このとき、図６（Ｄ’）に示すように、第２の投写型表示装置ＰＪ２は個別メニュー画像を含む画像を表示し、マスタの投写型表示装置ＰＪ１はメニュー画像領域において黒画像となる画像を表示する。また、第３の投写型表示装置ＰＪ３は全画像領域において黒画像を表示する。なお、図５（Ｄ’）の状態において、エフェクト２ボタンＢｅ２を再度選択すると、図５（Ｄ）の状態に戻る。また、図５（Ｅ）の状態において、エフェクト２ボタンＢｅ１を選択すると、図５（Ｅ’）の状態に移行する。この場合には、図６（Ｅ’）に示すように、マスタの投写型表示装置ＰＪ１と第３の投写型表示装置ＰＪ３とが同時に投写表示する。
【００６０】
なお、図５（Ｂ）〜（Ｅ），（Ｄ’），（Ｅ’）のそれぞれの状態において、メニューボタンＢｍを選択すると、図５（Ａ）の通常の表示状態に戻る。
【００６１】
このように、メニュー画像を表示する投写型表示装置以外の他の投写型表示装置が、メニュー画像表示領域において黒画像を表示するようにすれば、メニュー画像をうまく表示することが可能となる。本実施例においては、メニュー画像を表示しない投写型表示装置は黒のベタ画像を表示することとしているが、例えば、青や緑などの他の色のベタ画像を用いてもよい。また、ベタ画像に代えて、目立たない模様を含む画像を用いてもよい。一般には、メニュー画像を表示する投写型表示装置以外の他の投写型表示装置は、少なくともメニュー画像表示領域においてメニュー画像内に含まれる文字等の符号を容易に識別できるような画像を表示すればよい。なお、この画像が、本発明におけるメニュー画像の背景を構成する背景画像に相当する。
【００６２】
なお、本実施例においては、前述したように、図２に示す各投写型表示装置のＯＳＤ処理部２１２とＯＳＤメモリ２１３とが、制御信号処理部２２８の指令に従ってメニュー画像表示を実現する。この説明からも分かるように、本実施例のＯＳＤ処理部２１２とＯＳＤメモリ２１３とが、本発明におけるメニュー画像処理部に相当する。
【００６３】
ところで、本実施例の投写表示システム（図１）において、マスタの投写型表示装置ＰＪ１の制御信号処理部２２８は、すべての投写型表示装置ＰＪ１〜ＰＪ３の動作状態を監視する機能を有している。すなわち、スレーブの投写型表示装置ＰＪ２，ＰＪ３は、それぞれの投写型表示装置の動作状態をマスタの投写型表示装置ＰＪ１に伝送する。これにより、マスタの投写型表示装置ＰＪ１は、すべての投写型表示装置ＰＪ１〜ＰＪ３が正常に動作しているか否かを確認することができる。いずれかの投写型表示装置が投写表示不可能である場合には、投写表示可能な他の投写型表示装置が所定のメッセージを投写表示するように、マスタの投写型表示装置ＰＪ１における制御信号処理部２２８が投写型表示装置ＰＪ１〜ＰＪ３を制御する。この所定のメッセージは、例えば、エラーメッセージである。また、電源投入時から投写表示可能になるまでの時間が３台の投写型表示装置ＰＪ１〜ＰＪ３の間で異なる場合には、上記所定のメッセージは、まだ準備できていない投写型表示装置はどれかを示すようなメッセージであってもよい。
【００６４】
なお、このようなエラーとしては、例えば、いずれかの投写型表示装置の照明光学系１００（図１）を構成するランプが点灯しなくなる場合や、図示しない冷却用のファンが停止する場合、ファンの回転数の低下により投写型表示装置内部の温度が著しく高温となる場合などが挙げられる。これらのエラーは、ランプに流れる電流や、ファンに流れる電流、投写型表示装置内の温度などから検出可能である。また、画像信号処理部２１０等の動作を監視し、エラーの発生を検出してエラー表示するようにしてもよい。一般には、画像表示ができない場合や、画像表示ができなくなる恐れがある場合（例えば、内部温度の上昇によって正常動作が不能となるような場合）にエラー表示することが好ましい。
【００６５】
図１０は、第３の投写型表示装置ＰＪ３にエラーが発生した場合に表示されるエラー表示を示す説明図である。図１０（ａ）は、スクリーンＳＣ上に表示される合成画像を示している。図１０（ｂ）〜（ｄ）は、それぞれ第１〜第３の投写型表示装置ＰＪ１〜ＰＪ３によって個別に表示される個別画像を示している。図１０では、第３の投写型表示装置ＰＪ３にエラーが発生していると仮定しているので、図１０（ｄ）に示すように、第３の投写型表示装置ＰＪ３は画像を表示していない。このとき、マスタの投写型表示装置ＰＪ１は、図１０（ｂ）に示すように、エラーメッセージを含む画像を表示する。本実施例では、「エラー  ３」のメッセージが表示される。このメッセージにより、ユーザは、第３の投写型表示装置ＰＪ３にエラーが発生していることを知ることができる。このとき、図１０（ｃ）に示すように、第２の投写型表示装置ＰＪ２は、エラーメッセージ表示領域において黒画像を表示する。これにより、前述のメニュー画像と同様に、エラーメッセージを見やすく表示することが可能となる。
【００６６】
なお、本実施例においては、「エラー」と表示するのみであるが、具体的なエラー内容を表示するようにしてもよい。例えば、第２の投写型表示装置ＰＪ２のファンが停止した場合には、「ファン停止  ２」と表示するようにしてもよい。
【００６７】
図１０においては、第１の投写型表示装置ＰＪ１がエラーメッセージを表示しているが、第２の投写型表示装置ＰＪ２がエラーメッセージを表示するようにしてもよい。また、第１および第２の投写型表示装置ＰＪ１，ＰＪ２の双方が、同時に同じエラーメッセージを表示するようにしてもよい。一般に、マスタの投写型表示装置は、複数台の投写型表示装置のうちの少なくとも一台の投写型表示装置にエラーが発生した際に、エラーの発生していない他の投写型表示装置の少なくとも一台にエラー表示を行わせればよい。
【００６８】
上記のように、マスタの投写型表示装置ＰＪ１の制御信号処理部２２８は、すべての投写型表示装置ＰＪ１〜ＰＪ３の動作状態を監視している。このため、本実施例の投写表示システムにおいては、すべての投写型表示装置ＰＪ１〜ＰＪ３の動作状態が同じである場合にのみ投写表示を実行するようにしてもよい。例えば、投写表示システムの電源投入時には、各投写型表示装置において、投写表示可能となるまでの時間が異なる。また、投写型表示装置の内部温度が高いときには、ランプを消灯させて冷却する必要が生じる。このような場合には、各投写型表示装置が投写表示可能なスタンバイ状態となるまで待ち、すべての投写型表示装置がスタンバイ状態となったときに、一斉に投写表示を開始するようにしてもよい。
【００６９】
上記のように、本実施例の投写表示システムにおいては、各投写型表示装置の動作状態は、ケーブルを介してマスタの投写型表示装置に供給されるので、すべての投写型表示装置がスタンバイ状態となってから投写表示を開始したり、いずれかの投写型表示装置で発生したエラーを検出して他の投写型表示装置においてエラー表示を行わせたりすることが可能となる。
【００７０】
以上説明したように、上記実施例の投写表示システムを構成する投写型表示装置は、それぞれ、外部から入力される制御信号を処理して処理済み制御信号を出力するための制御信号処理部２２８と、制御信号および処理済み制御信号を入出力するための信号入出力部２２６とを備えている。各投写型表示装置の信号入出力部間を接続することによって、複数台の投写型表示装置はカスケード接続される。そして、各投写型表示装置の制御信号処理部は、入力される制御信号に基づいて、各投写型表示装置がカスケード接続された際の接続順序を記憶する。これにより、投写表示システムを構成する複数台の投写型表示装置を接続順序に基づいて容易に制御することが可能となる。
【００７１】
また、本実施例の投写表示システムにおいて、メニュー画像を表示させる際には、複数台の投写型表示装置のうちのいずれかの投写型表示装置が、投写面上に表示される画像領域の少なくとも一部にメニュー画像を表示し、メニュー画像を表示する投写型表示装置以外の他の投写型表示装置が少なくともメニュー画像の表示領域において、メニュー画像の背景を構成する背景画像を表示させる。これにより、容易にメニュー画像内に含まれる文字等の符号を識別することが可能となり、複数台の投写型表示装置を容易に制御することが可能となる。
【００７２】
なお、本実施例においては、カスケード接続された投写表示システムにおけるメニュー画像の表示方法について説明したが、このようなメニュー画像の表示方法は、一般に、複数台の投写型表示装置を備え、それぞれの投写型表示装置によって投写表示される複数の画像を共通の投写面上に表示する投写表示システムに適用可能である。
【００７３】
なお、この発明は上記の実施例や実施形態に限られるものではなく、その要旨を逸脱しない範囲において種々の態様において実施することが可能であり、例えば次のような変形も可能である。
【００７４】
（１）上記実施例では、３台の投写型表示装置を積み重ねた投写表示システムについて説明しているが、２台あるいは４台以上の投写型表示装置を積み重ねた投写表示システムについても適用可能である。また、複数台の投写型表示装置を垂直方向に積み重ねた投写表示システムに限らず、複数台の投写型表示装置を水平方向に並べた投写表示システムについても適用可能である。さらに、複数台の投写型表示装置のそれぞれを離れた位置に配置したような投写表示システムについても適用可能である。
【００７５】
また、上記実施例では、３台の投写型表示装置によって投写表示される３つの画像を一致させて、１つの画像を表示させる場合について説明したが、本発明の投写表示システムおよび投写型表示装置は、各投写型表示装置によって投写表示される複数の画像を並べて表示するような場合にも適用できる。
【００７６】
さらに、上記実施例では、図１に示すように、各投写型表示装置に同じアナログ画像信号ＡＶ１が供給されている場合について説明したが、複数台の投写型表示装置のそれぞれに異なるアナログ画像信号を供給するようにしてもよい。こうすれば、互いに異なる画像を、スクリーンＳＣ上に表示させることが可能となる。
【００７７】
このように、本発明は、一般に、複数台の投写型表示装置を備え、それぞれの投写型表示装置によって投写表示される複数の画像を、共通の投写面上に表示するような投写表示システムに適用可能である。
【００７８】
（２）上記実施例では、カスケード接続が確立された後に、コンピュータＰＣと第１の投写型表示装置ＰＪ１とを接続するケーブルを取り外しているが、このケーブルは取り外さなくてもよい。この場合には、ユーザは、リモコン２２９のみでなく、コンピュータＰＣの表示部に表示される設定値画面においても設定値を変更することが可能となる。
【００７９】
（３）上記実施例では、ケーブルを用いて投写表示システムのカスケード接続を実現しているが、ケーブルを用いずに無線でカスケード接続を実現するようにしてもよい。この場合には、例えば、垂直方向に積み重ねて配置された投写型表示装置によって投写表示システムが構成される場合には、各投写型表示装置の上面および下面に隣接する装置との無線信号を入出力する信号入出力部を設けるようにすればよい。こうすれば、積み重ねの順序に応じて接続順序を決定することが可能である。
【００８０】
（４）上記実施例では、投写型表示装置の電気光学装置として液晶ライトバルブ２１６（図２）を用いているが、電気光学装置としては、画像信号に応じて画像を形成する光を射出する種々の装置を利用することができる。例えば、ＤＭＤ（ディジタル・マイクロミラー・デバイス）（ＴＩ社の商標）などのマイクロミラー型光変調装置を用いてもよいし、高輝度ブラウン管やプラズマディスプレイパネルを用いてもよい。
【００８１】
（５）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００８２】
【図１】本発明の実施例としての投写表示システムを示す説明図である。
【図２】図１の各投写型表示装置ＰＪ１〜ＰＪ３の内部構成の一例を示すブロック図である。
【図３】各投写型表示装置のカスケード接続を確立させるための手順を示すフローチャートである。
【図４】投写表示システムのカスケード接続が確立された際に、コンピュータＰＣ（図１）において表示される設定値画面を示す説明図である。
【図５】リモコン２２９を用いて各投写型表示装置の設定値を変更する場合の処理を示す説明図である。
【図６】図５の各合成画像を表示する際に、各投写型表示装置によって表示される個別画像を示す説明図である。
【図７】リモコン２２９を拡大して示す説明図である。
【図８】スクリーンＳＣ上に表示される全体メニュー画像の一例を示す説明図である。
【図９】スクリーンＳＣ上に表示される個別メニュー画像の一例を示す説明図である。
【図１０】第３の投写型表示装置ＰＪ３にエラーが発生した場合に表示されるエラー表示を示す説明図である。
【図１１】従来の投写表示システムを示す説明図である。
【符号の説明】
【００８３】
１００…照明光学系
１０２…投写レンズ
２００…ＣＰＵ
２００ｂ…バス
２０８…画像入力端子
２１０…画像信号処理部
２１２…ＯＳＤ処理部
２１３…ＯＳＤメモリ
２１４…液晶ライトバルブ駆動部
２１６…液晶ライトバルブ
２２２…フレームメモリ
２２４…設定値メモリ
２２６…信号入出力部
２２６ａ，２２６ｂ…入出力端子
２２７…番号データメモリ
２２８…制御信号処理部
２２９…リモートコントローラ
ＢＣ…ボタンカバー
Ｂｅ１…エフェクト１ボタン
Ｂｅ２…エフェクト２ボタン
Ｂｍ…メニューボタン
ＰＣ…パーソナルコンピュータ
ＰＪ１〜ＰＪ３…投写型表示装置
ＰＪＺＡ，ＰＪＺＢ，ＰＪＺＣ…従来の投写型表示装置
ＳＣ…スクリーン
【図１】
2006287963.tif 000003
【図２】
2006287963.tif 000004
【図３】
2006287963.tif 000005
【図４】
2006287963.tif 000006
【図５】
2006287963.tif 000007
【図６】
2006287963.tif 000008
【図７】
2006287963.tif 000009
【図８】
2006287963.tif 000010
【図９】
2006287963.tif 000011
【図１０】
2006287963.tif 000012
【図１１】
2006287963.tif 000013